(57)【要約】【課題】カメラコントローラ装置において、操作者が調整部の設定状態を容易に視認することができ、複数台のカメラの撮影条件の設定時に容易に同期をとれるようにすることを目的とする。【解決手段】制御対象となるカメラに切り替えるための切替操作部３と、制御対象のカメラの調整要素の調整を行うための調整部４と、装置全体の制御を行うための制御部５とを有し、調整部４は調整範囲の始点および終点を有し、制御部５は、切り替え前のカメラの調整要素の設定値と切り替え後のカメラの調整要素の設定値とを比較し、両者の設定値が一致していない場合、切り替え後のカメラの調整要素の設定値と調整部による設定値が一致するまで操作禁止状態とする制御を行うように構成した。【選択図】図１
2014200069.tif 000002
【特許請求の範囲】
【請求項１】
複数台のカメラの中から制御対象となるカメラに切り替えるための切替操作部と、制御対象のカメラの調整要素の調整を行うための調整部と、装置全体の制御を行うための制御部とを有し、
前記調整部は調整範囲の始点および終点を有し、
前記制御部は、切り替え前のカメラの調整要素の設定値と切り替え後のカメラの調整要素の設定値とを比較し、両者の設定値が一致していない場合、切り替え後のカメラの調整要素の設定値と調整部による設定値が一致するまで操作禁止状態とする制御を行うように構成したことを特徴とするカメラコントローラ装置。
【請求項２】
前記制御部は、複数台のカメラそれぞれについて調整部により調整された調整要素の設定値を記憶する記憶部と、各カメラの調整要素の設定値を比較する比較部とを有する請求項１に記載のカメラコントローラ装置。
【請求項３】
前記制御部は切り替え前のカメラの調整要素の設定値と切り替え後のカメラの調整要素の設定値とを比較し、両者の設定値が一致していない場合に、操作者に報知する報知部を備えた請求項１に記載のカメラコントローラ装置。
【請求項４】
前記制御部は切り替え前のカメラの調整要素の設定値と切り替え後のカメラの調整要素の設定値とを比較し、両者の設定値が一致していない場合に、操作者に報知する報知部と、報知部の動作を停止させるとともに、切り替え後のカメラの設定値を調整部の設定値に一致させ、調整部４の操作禁止状態を解除する報知解除部とを備えた請求項１に記載のカメラコントローラ装置。
【請求項５】
複数台のカメラの中から制御対象となるカメラに切り替えるための切替操作部と、調整範囲の始点および終点を有し、制御対象のカメラの調整要素の調整を行うための調整部と、装置全体の制御を行うための制御部とを有し、
かつ調整部の操作可能な範囲内でカメラの調整範囲の幅を設定する範囲調整部と、範囲調整部で設定した調整範囲の幅の上限および下限位置を設定する上下限調整部とを設け、
前記制御部は、切り替え前のカメラの調整要素の設定値と切り替え後のカメラの調整要素の設定値とを比較し、両者の設定値が一致していない場合、切り替え後のカメラの調整要素の設定値と調整部による設定値が一致するまで操作禁止状態とする制御を行うように構成し、
かつ切り替え後のカメラの調整要素の設定値が前記範囲調整部と上下限調整部により限定された操作範囲に入っていない場合に、報知部で報知するように構成したことを特徴とするカメラコントローラ装置。
【発明の詳細な説明】
【技術分野】
【０００１】
本技術は、複数台のカメラを切り替えて制御可能なカメラコントローラ装置に関する。
【背景技術】
【０００２】
カメラコントローラ装置は、複数台のカメラをインターネット、または接続ケーブルを介して接続し、複数台のカメラそれぞれのアイリス調整、ゲイン調整などの制御を行うものである。
【０００３】
特許文献１には、複数台のカメラと、カメラコントローラとで構成されたカメラシステムが開示されている。このカメラシステムのコントローラは、カメラの撮影条件の設定を行うためにロータリーエンコーダを用い、エンコーダの設定値を表示装置に表示する構成を有している。
【先行技術文献】
【特許文献】
【０００４】
【特許文献１】特開２００２−３６９０６８号公報
【発明の概要】
【発明が解決しようとする課題】
【０００５】
本技術は、複数台のカメラを切り替えて制御可能なカメラコントローラ装置において、操作者が調整部の設定状態を容易に視認することができ、しかも複数台のカメラそれぞれの撮影条件の設定時に、容易に調整部と同期をとれるようにすることを目的とする。
【課題を解決するための手段】
【０００６】
本技術によるカメラコントローラ装置は、複数台のカメラの中から制御対象となるカメラに切り替えるための切替操作部と、制御対象のカメラの調整要素の調整を行うための調整部と、装置全体の制御を行うための制御部とを有し、前記調整部は調整範囲の始点および終点を有し、前記制御部は、切り替え前のカメラの調整要素の設定値と切り替え後のカメラの調整要素の設定値とを比較し、両者の設定値が一致していない場合、切り替え後のカメラの調整要素の設定値と調整部による設定値が一致するまで操作禁止状態とする制御を行うように構成した。
【発明の効果】
【０００７】
本技術によれば、カメラを切り替えた後、操作者が調整部を操作した場合、切り替え後のカメラの設定値となるまで、調整部を操作禁止状態とすることで、切り替え後のカメラの設定値と装置本体部の操作値の同期をとることができる。また、操作者は始点、終点の存在により、調整部の位置が目視で視認することができるため、変更量がわかりやすく、感覚的な操作を行うことができる。さらに、カメラコントローラ装置の表示装置を削減することができ、コストダウンや機器の小型化を実現することが可能となる。
【図面の簡単な説明】
【０００８】
【図１】本技術の一実施の形態によるカメラコントローラ装置の装置本体部の構成を示すブロック図である。
【図２】本実施の形態によるカメラコントローラ装置において、調整部の一例として回転式のボリュームの概略構成を示す説明図である。
【図３】本実施の形態によるカメラコントローラ装置において、カメラの切り替え操作を行う時の動作を示すフローチャートである。
【図４】本技術によるカメラコントローラ装置において、カメラ切り替えを行った際の調整部の動作を示す説明図である。
【図５】本技術の他の実施の形態によるカメラコントローラ装置の装置本体部の構成を示すブロック図である。
【図６】本実施の形態によるカメラコントローラ装置において、調整部の一例の概略構成を示す説明図である。
【図７】本実施の形態によるカメラコントローラ装置において、カメラの切り替え操作を行う時の動作を示すフローチャートである。
【図８】本技術の他の実施の形態によるカメラコントローラ装置の装置本体部の構成を示すブロック図である。
【図９】本実施の形態によるカメラコントローラ装置において、調整部の一例の概略構成を示す説明図である。
【図１０】本実施の形態によるカメラコントローラ装置において、カメラの切り替え操作を行う時の動作を示すフローチャートである。
【図１１】本技術の他の実施の形態によるカメラコントローラ装置の装置本体部の構成を示すブロック図である。
【図１２】本実施の形態によるカメラコントローラ装置において、調整部の一例の概略構成を示す説明図である。
【図１３】本実施の形態によるカメラコントローラ装置において、カメラの切り替え操作を行う時の動作を示すフローチャートである。
【図１４】図１１に示す実施の形態によるカメラコントローラ装置の動作を説明するための説明図である。
【発明を実施するための形態】
【０００９】
以下、本技術の一実施の形態によるカメラコントローラ装置について、適宜図面を参照しながら、説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本技術を十分に理解するために添付図面および以下の説明を提供するのであって、これらによって特許請求の範囲に記載の主題を限定することを意図するものではない。
【００１１】
図１は、本技術の一実施の形態によるカメラコントローラ装置の装置本体部の構成を示すブロック図である。
【００１２】
図１に示すように、制御対象の複数台のカメラである第１のカメラ１Ａ、第２のカメラ１Ｂに有線や無線により接続される通信部２と、複数台のカメラの中から制御対象となるカメラに切り替えるための切替操作部３と、制御対象のカメラのアイリス調整、ペデスタル調整、ゲイン調整やフレア調整などの撮影条件の調整要素の調整を行うための調整部４と、装置全体の制御を行うための制御部５とを有する。
【００１３】
通信部２は、複数台の第１のカメラ１Ａおよび第２のカメラ１Ｂに対して、信号の送受信が可能なように接続ケーブルを介して接続されている。この接続方法としては、スイッチングハブなどを介してインターネット通信網経由で接続するＩＰ接続や、接続ケーブルにより直接、機器同士を接続するシリアル通信による接続を用いることができる。勿論、無線ＬＡＮなどを用いて無線で接続する接続方法を用いてもよい。
【００１４】
切替操作部３は、複数台の第１のカメラ１Ａおよび第２のカメラ１Ｂの中から制御対象のカメラを選択するスイッチング手段であり、切替操作部３を操作することにより、制御部５に制御対象となるカメラが切り替えられたことの情報が送られる。
【００１５】
調整部４は、可変抵抗器によるスライド式のボリュームや回転式のボリュームを有し、アイリス調整、ペデスタル調整、ゲイン調整やフレア調整などの調整要素に応じた数のボリュームを有している。
【００１６】
図２は、本技術の一実施の形態によるカメラコントローラ装置において、調整部の一例として回転式のボリュームの概略構成を示す説明図である。図２に示すように、調整部４を構成する回転式のボリューム４Ａは、調整範囲の始点４Ｂと終点４Ｃを有し、調整部４は始点４Ｂと終点４Ｃの間が調整可能範囲となる。調整部４は操作部４Ｄを有しており、操作部４Ｄが示す調整可能範囲内の位置情報により調整部４による調整値を肉眼で確認することが可能である。
【００１７】
図２に示す例において、ボリューム４Ａからは、抵抗値の変化に応じたアナログ信号が出力されるが、調整部４は、このアナログ信号をＡＤ変換するＡＤ変換部を有しており、調整部４からはデジタル信号として出力される。勿論、調整部４からはアナログ信号を出力し、制御部５にアナログ信号をデジタル信号に変換するＡＤ変換部を設けてもよいし、調整部４と制御部５との間に別途ＡＤ変換部を設けてもより。さらに、調整部４は、ボリュームにより構成する以外に、始点４Ｂと終点４Ｃを設定して調整可能範囲を規定したロータリーエンコーダなどを用いて構成してもよい。この場合は、エンコーダが位置情報をデジタル信号として出力可能である。
【００１８】
制御部５は、マイクロコンピュータなどの中央演算処理装置を有する半導体装置により構成されている。制御部５は、切替操作部３から送られる情報により、複数台の第１のカメラ１Ａおよび第２のカメラ１Ｂの中から制御対象のカメラを選択し、通信部２にカメラの選択情報などの制御信号を送信する。また、制御部５は、調整部４で設定されるアイリス調整、ペデスタル調整、ゲイン調整やフレア調整などの調整要素の設定値を受信し、通信部２を通して選択された制御対象のカメラに設定値を送信するように通信部２を制御する。
【００１９】
さらに、制御部５は、複数台の第１のカメラ１Ａおよび第２のカメラ１Ｂそれぞれについて、調整部４により調整されたアイリス調整値、ペデスタル調整値、ゲイン調整値やフレア調整値などの調整要素の設定値を記憶する記憶部５Ａと、各カメラの調整要素の設定値を比較する比較部５Ｂとを有する。
【００２０】
制御部５は、通信部２を制御し、選択された制御対象のカメラに対し、アイリス調整値、ペデスタル調整値、ゲイン調整値やフレア調整値などの設定値を送信するように要求し、切り替え後の制御対象のカメラの調整要素の設定値を受信する。制御部５は、切り替え前のカメラの調整要素の設定値を記憶部５Ａから読み出し、受信した切り替え後のカメラの調整要素の設定値と比較部５Ｂで比較する。比較部５Ｂで両者のカメラの設定値を比較した結果、両者の設定値が一致していない場合、制御部５は、通信部２を介して受信した切り替え後のカメラの調整要素の設定値に、調整部４から調整要素の設定値を受信しても、両者が一致するまでは、切り替え後の制御対象のカメラに設定値を送信しないように通信部２を制御する。すなわち、調整部４は、通信部２を介して受信した切り替え後のカメラの調整要素の設定値と調整部４による設定値が一致するまでは、操作部４Ｄは「空振り状態」の操作禁止状態となる。
【００２１】
また、制御部５の記憶部５Ａは、制御対象のカメラに対する調整部４から受信する設定値を記憶する。制御部５が記憶部５Ａに記憶するタイミングは、例えば切替操作部３により制御対象のカメラを選択するタイミングに合わせて行う。このとき、制御部５は、制御対象のカメラの設定値がすでに記憶部５Ａに書き込まれていた場合、新たに受信した設定値を上書きするように記憶部５Ａを制御する。
【００２２】
次に、本技術の一実施の形態によるカメラコントローラ装置において、カメラの切り替え操作を行った時の動作を説明する。
【００２３】
図３は、本技術の一実施の形態によるカメラコントローラ装置において、カメラの切り替え操作を行う時の動作を示すフローチャートである。
【００２４】
操作者が切替操作部３を操作して、第１のカメラ１Ａから第２のカメラ１Ｂに切り替える操作を行う（ステップＳ１０）と、制御部５は、制御対象を第１のカメラ１Ａから第２のカメラ１Ｂに切り替えるように設定されるとともに、通信部２にカメラ切り替えの制御信号を送信する。
【００２５】
通信部２は、制御部５からの制御信号により、第２のカメラ１Ｂに対し、第２のカメラ１Ｂの設定値を装置本体部に送信するよう要求すると、ステップＳ２０において、第２のカメラ１Ｂは装置本体部より送信要求を受け、第２のカメラ１Ｂの設定値を装置本体部に送信する。ステップＳ３０において、装置本体部の通信部２は、第２のカメラ１Ｂの設定値を受信し、制御部５に保持する。
【００２６】
次に、ステップＳ４０において、制御部５は、受信した第２のカメラ１Ｂの設定値と、記憶部５Ａに記憶されている第１のカメラ１Ａの設定値とを比較部５Ｂにおいて比較し、一致しているか否かの判断を行う。ここで、記憶部５Ａに記憶されている第１のカメラ１Ａの設定値は、切り替え前に、制御対象の第１のカメラ１Ａに対する調整部４から受信する設定値である。すなわち、記憶部５Ａには、切り替え前の調整部４の操作部４Ｄの位置情報が記憶されていることとなる。
【００２７】
一致している場合（Ｙｅｓの場合）、次のステップＳ５０に進む。ステップＳ５０においては、制御部５は、アイリス調整、ペデスタル調整、ゲイン調整やフレア調整などの調整要素について、調整部４の操作部４Ｄを操作すると、操作部４Ｄにより調整された設定値が第２のカメラ１Ｂに送信される。
【００２８】
一方、一致していない場合（Ｎｏの場合）、次のステップＳ６０に進む。ステップＳ６０においては、制御部５は、アイリス調整、ペデスタル調整、ゲイン調整やフレア調整などの調整要素について、調整部４の操作部４Ｄを操作しても、操作部４Ｄにより調整された設定値を第２のカメラ１Ｂに送信しない「空振り状態」の操作禁止状態とし、ステップＳ４０の動作を繰り返す。すなわち、調整部４は、通信部２を介して受信した切り替え後の第２のカメラ１Ｂの調整要素の設定値と、調整部４による設定値が一致するまでは、操作部４Ｄは「空振り状態」の操作禁止状態となる。
【００２９】
図４は、本技術によるカメラコントローラ装置において、カメラ切り替えを行った際の調整部の動作を示す説明図である。
【００３０】
第１のカメラ１Ａから第２のカメラ１Ｂに切り替えを行ったとき、第１のカメラ１Ａと第２のカメラ１Ｂの設定値が一致するまで、調整部４の操作部４Ｄを操作しても、設定値は第２のカメラ１Ｂに設定値は送信されない。すなわち、調整部４の操作部４Ｄは、「空振り状態」の操作禁止状態となる。図４の点線で示す範囲が、「空振り状態」の範囲となる。
【００３１】
調整部４の操作部４Ｄを操作し、第１のカメラ１Ａと第２のカメラ１Ｂの設定値が一致した時点より、第２のカメラ１Ｂに調整部４で設定された設定値の通信が開始される。図４の実線で示す部分が、調整部４で設定された設定値の通信が開始される操作部４Ｄの位置を示している。
【００３２】
以上のように、本技術によるカメラコントローラ装置は、複数台のカメラの中から制御対象となるカメラに切り替えるための切替操作部３と、制御対象のカメラの調整要素の調整を行うための調整部４と、装置全体の制御を行うための制御部５とを有する。また、調整部４は調整範囲の始点および終点を有する。また、制御部５は、切り替え前のカメラの調整要素の設定値と切り替え後のカメラの調整要素の設定値とを比較し、両者の設定値が一致していない場合、切り替え後のカメラの調整要素の設定値と調整部による設定値が一致するまで操作禁止状態とする制御を行うように構成している。
【００３３】
これにより、カメラを切り替えた後、操作者が調整部４を操作した場合、第２のカメラ１Ｂの設定値となるまで、調整部４を操作禁止状態とすることで、第２のカメラ１Ｂの設定値と装置本体部の操作値の同期をとることができる。また、本技術におけるコントローラ装置は、操作者は始点、終点の存在により、調整部４の操作部の位置が目視で視認することができるため、変更量がわかりやすく、感覚的な操作を行うことができる。その結果、カメラコントローラ装置の表示装置を削減することができ、コストダウンや機器の小型化を実現することが可能となる。
【００３４】
次に、本技術による他の実施の形態について説明する。
【００３５】
図５は、本技術の他の実施の形態によるカメラコントローラ装置の装置本体部の構成を示すブロック図である。図６は、本実施の形態によるカメラコントローラ装置において、調整部の一例の概略構成を示す説明図である。図７は、本実施の形態によるカメラコントローラ装置において、カメラの切り替え操作を行う時の動作を示すフローチャートである。なお、図５、図６、図７において、図１、図２、図３に示す部分と同一機能を有する部分については同一番号を付している。
【００３６】
図５、図６に示すように、本実施の形態によるカメラコントローラ装置においては、通信部２と、切替操作部３と、調整部４と、制御部５に加え、報知部６を備えている。報知部６は、ＬＥＤやブザーなどにより構成され、操作者に装置本体部の現在の状態を通知する働きを行う。
【００３７】
報知部６は、制御部５が切り替え前のカメラの調整要素の設定値を記憶部５Ａから読み出し、受信した切り替え後のカメラの調整要素の設定値と比較部５Ｂで比較した結果、両者の設定値が一致していない場合、操作者に報知するものである。
【００３８】
図７に示すように、ステップＳ４０において、制御部５は、受信した第２のカメラ１Ｂの設定値と、記憶部５Ａに記憶されている第１のカメラ１Ａの設定値とを比較部５Ｂにおいて比較し、一致しているか否かの判断を行う。一致している場合（Ｙｅｓの場合）、次のステップＳ５０に進む。ステップＳ５０においては、制御部５は、アイリス調整、ペデスタル調整、ゲイン調整やフレア調整などの調整要素について、調整部４の操作部４Ｄを操作すると、操作部４Ｄにより調整された設定値が第２のカメラ１Ｂに送信される。
【００３９】
一方、一致していない場合（Ｎｏの場合）、次のステップＳ７０に進み、報知部６が操作者に一致していないことを報知する。同時に、ステップＳ６０において、制御部５は、アイリス調整、ペデスタル調整、ゲイン調整やフレア調整などの調整要素について、調整部４の操作部４Ｄを操作しても、操作部４Ｄにより調整された設定値を第２のカメラ１Ｂに送信しない「空振り状態」の操作禁止状態とし、ステップＳ４０の動作を繰り返す。すなわち、調整部４は、通信部２を介して受信した切り替え後の第２のカメラ１Ｂの設定値と、調整部４による設定値が一致するまでは、報知部６が操作者に一致していないことを報知するとともに、調整部４は、操作部４Ｄが「空振り状態」の操作禁止状態となる。
【００４０】
以上のように、本実施の形態においては、カメラの切り替え操作を行ったときに、切り替え前のカメラと切り替え後のカメラについて、アイリス調整、ペデスタル調整、ゲイン調整やフレア調整などの調整要素の設定値が一致していないことを操作者に報知する構成としている。これにより、操作者は、カメラを切り替えたときに、両者のカメラの設定値が異なることを容易に知ることができる。
【００４１】
図８は、本技術の他の実施の形態によるカメラコントローラ装置の装置本体部の構成を示すブロック図である。図９は、本実施の形態によるカメラコントローラ装置において、調整部の一例の概略構成を示す説明図である。図１０は、本実施の形態によるカメラコントローラ装置において、カメラの切り替え操作を行う時の動作を示すフローチャートである。なお、図８、図９、図１０において、図５、図６、図７に示す部分と同一機能を有する部分については同一番号を付している。
【００４２】
図８、図９に示すように、本実施の形態によるカメラコントローラ装置においては、通信部２と、切替操作部３と、調整部４と、制御部５と、報知部６に加え、報知解除部７を備えている。報知解除部７は、報知部６の動作を停止させるとともに、切り替え後の第２のカメラ１Ｂの設定値を調整部４の設定値に一致させ、調整部４の操作禁止状態を解除する働きを行う。
【００４３】
図１０に示すように、ステップＳ４０において、制御部５は、受信した第２のカメラ１Ｂの設定値と、記憶部５Ａに記憶されている第１のカメラ１Ａの設定値とを比較部５Ｂにおいて比較し、一致しているか否かの判断を行う。一致している場合（Ｙｅｓの場合）、次のステップＳ５０に進む。ステップＳ５０においては、制御部５は、アイリス調整、ペデスタル調整、ゲイン調整やフレア調整などの調整要素について、調整部４の操作部４Ｄを操作すると、操作部４Ｄにより調整された設定値が第２のカメラ１Ｂに送信される。
【００４４】
一方、一致していない場合（Ｎｏの場合）、次のステップＳ７０に進み、報知部６が操作者に一致していないことを報知する。その後、ステップＳ８０において、報知解除部７を操作すると、制御部５は、報知部６の動作を停止させるとともに、第２のカメラ１Ｂの設定値を、調整部４の報知解除部７を操作した時点の設定値に設定する。これにより、第２のカメラ１Ｂは装置本体部の調整部４と同一の設定値となり、調整部４により調整された設定値を第２のカメラ１Ｂに送信しない操作禁止状態が解除される。すなわち、操作者が報知解除部７を操作し、報知状態を解除すると、第２のカメラ１Ｂの設定値は、報知解除部７を操作した時点で操作部４Ｄの位置に基づく調整部４の設定値に設定され、調整部４による操作禁止状態が解除される。
【００４５】
以上のように、本実施の形態においては、カメラの切り替え操作を行ったときに、切り替え前のカメラと切り替え後のカメラについて、アイリス調整、ペデスタル調整、ゲイン調整やフレア調整などの調整要素の設定値が一致していないことを操作者に報知する構成としている。これにより、操作者は、カメラを切り替えたときに、両者のカメラの設定値が異なることを容易に知ることができる。また、報知解除部７を操作することにより、切り替え後のカメラの設定値は、調整部４の設定値に設定され、調整部４による操作禁止状態を解除することができる。
【００４６】
図１１は、本技術の他の実施の形態によるカメラコントローラ装置の装置本体部の構成を示すブロック図である。図１２は、本実施の形態によるカメラコントローラ装置において、調整部の一例の概略構成を示す説明図である。図１３は、本実施の形態によるカメラコントローラ装置において、カメラの切り替え操作を行う時の動作を示すフローチャートである。なお、図１１、図１２、図１３において、図８、図９、図１０に示す部分と同一機能を有する部分については同一番号を付している。
【００４７】
図１１、図１２に示すように、本実施の形態によるカメラコントローラ装置においては、通信部２と、切替操作部３と、調整部４と、制御部５と、報知部６に加え、範囲調整部８、上下限調整部９および報知解除部１０を備えている。範囲調整部８および上下限調整部９は、可変抵抗器によるスライド式のボリュームや回転式のボリュームにより構成される。範囲調整部８は、アイリス調整、ペデスタル調整、ゲイン調整やフレア調整などのカメラの調整要素において、調整部４で操作可能な範囲内で、調整範囲の幅を設定するものであり、上下限調整部９は、範囲調整部８により設定された調整範囲の幅の上限と下限の位置を設定するものである。この範囲調整部８および上下限調整部９により、調整部４で操作可能な範囲内で、アイリス調整、ペデスタル調整、ゲイン調整やフレア調整などの調整要素の操作可能範囲が設定される。
【００４８】
図１３に示すように、操作者が切替操作部３を操作して、第１のカメラ１Ａから第２のカメラ１Ｂに切り替える操作を行う（ステップＳ１０）と、制御部５は、制御対象を第１のカメラ１Ａから第２のカメラ１Ｂに切り替えるように設定されるとともに、通信部２にカメラ切り替えの制御信号を送信する。
【００４９】
通信部２は、制御部５からの制御信号により、第２のカメラ１Ｂに対し、第２のカメラ１Ｂの設定値を装置本体部に送信するよう要求すると、ステップＳ２０において、第２のカメラ１Ｂは装置本体部より送信要求を受け、第２のカメラ１Ｂの設定値を装置本体部に送信する。ステップＳ３０において、装置本体部の通信部２は、第２のカメラ１Ｂの設定値を受信し、制御部５に保持する。
【００５０】
ステップＳ９０において、制御部５は、受信した第２のカメラ１Ｂの設定値と、記憶部５Ａに記憶されている第１のカメラ１Ａの設定値とを比較部５Ｂにおいて比較し、一致しているか否かの判断を行う。一致している場合（Ｙｅｓの場合）、次のステップＳ５０に進む。ステップＳ５０においては、制御部５は、アイリス調整、ペデスタル調整、ゲイン調整やフレア調整などの調整要素について、調整部４の操作部４Ｄを操作すると、操作部４Ｄにより調整された設定値が第２のカメラ１Ｂに送信される。
【００５１】
一方、一致していない場合（Ｎｏの場合）、次のステップＳ１００に進み、報知部６が操作者に一致していないことを報知する。
【００５２】
また、範囲調整部８と上下限調整部９により調整部４の操作範囲が限定されており、第２のカメラ１Ｂの設定値が、範囲調整部８と上下限調整部９により限定された操作範囲に入っている場合（Ｙｅｓの場合）、ステップＳ５０に進み、入っていない場合（Ｎｏの場合）、ステップＳ１００に進み、報知部６が操作者に報知する。
【００５３】
その後、ステップＳ１１０において、制御部５は、調整部４を操作して第２のカメラ１Ｂの設定値を範囲調整部８と上下限調整部９により限定された操作範囲の端に移動させ、報知解除部１０を動作させることにより、報知部６による報知を解除する。
【００５４】
アイリス調整の場合を例にとって、図１４を用いて具体的に説明する。図１４は、図１１に示す実施の形態によるカメラコントローラ装置の動作を説明するための説明図である。図１４において、例えば、調整部４によりアイリス調整できる幅が、図１４（ａ）に示す範囲で、範囲調整部８および上下限調整部９により、調整値の幅と上限下限位置が、図１４（ｂ）に示す範囲に設定されているとする。
【００５５】
まず、第１のカメラ１Ａのアイリス値が、図１４（ｂ）に示す範囲内の図１４（ｃ）の黒丸で示す位置にある状態で、第２のカメラ１Ｂに切り替えることにより、アイリス値が、図１４（ｂ）に示す操作可能範囲外の図１４（ｄ）の黒丸で示す位置になってしまい、アイリス調整を行うことができない。
【００５６】
そこで、アイリス調整を行う調整部４の終端位置（上端および下端）に報知解除部としての機能を持たせ、切り替え後の調整部４の操作により、図１４の点線で示すように、図１４（ｄ）の黒丸の位置から図１４（ｅ）の黒丸の位置に変更する補正を行うことにより、報知部６の報知解除を行う。図１４（ｅ）は、第２のカメラ１Ｂのアイリス値が調整部４によりアイリス調整の操作が可能な範囲の端に補正されたことを示している。報知解除の動作は、調整部４の始点および終点に達した場合に実行される。
【００５７】
以上のように、本実施の形態においては、カメラ切り替えた後、設定範囲外に設定値が出てしまった場合でも、操作者の意図に沿った動作が可能となる。なお、図１３に示すフローチャートにおいては、図１０に示すステップＳ４０、ステップＳ７０、ステップＳ８０を省略して示している。本実施の形態においても、ステップＳ４０、ステップＳ７０、ステップＳ８０は、ステップＳ３０とステップＳ９０の間に設けることが望ましい。
【００５８】
以上のように、本技術における技術の例示として、実施の形態を説明した。そのために、添付図面および詳細な説明を提供した。
【００５９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６０】
また、上述の実施の形態は、本技術における技術を例示するためのものであるから、特許請求の範囲またはその均等の範囲において種々の変更、置き換え、付加、省略などを行うことができる。
【産業上の利用可能性】
【００６１】
以上のように、本技術は、複数台のカメラを切り替えて制御可能なコントローラ装置において有用な発明であり、スタジオカメラシステムなどに適用可能である。
【符号の説明】
【００６２】
１Ａ  第１のカメラ
１Ｂ  第２のカメラ
２  通信部
３  切替操作部
４  調整部
４Ａ  ボリューム
４Ｂ  始点
４Ｃ  終点
４Ｄ  操作部
５  制御部
５Ａ  記憶部
５Ｂ  比較部
６  報知部
７、１０  報知解除部
８  範囲調整部
９  上下限調整部
【図１】
2014200069.tif 000003
【図２】
2014200069.tif 000004
【図３】
2014200069.tif 000005
【図４】
2014200069.tif 000006
【図５】
2014200069.tif 000007
【図６】
2014200069.tif 000008
【図７】
2014200069.tif 000009
【図８】
2014200069.tif 000010
【図９】
2014200069.tif 000011
【図１０】
2014200069.tif 000012
【図１１】
2014200069.tif 000013
【図１２】
2014200069.tif 000014
【図１３】
2014200069.tif 000015
【図１４】
2014200069.tif 000016